(57)【特許請求の範囲】
【請求項１】
縦長の窓枠と、該窓枠に装着する透光性の板材とを備えてなり、該板材は、シール材を介して前記窓枠の下枠、上枠、一方の縦枠により保持するとともに、横断面が内向き溝状の他方の縦枠内に端縁部を進入させ、該端縁部を迂回する通気用の隙間を形成することを特徴とする切窓。
【請求項２】
前記他方の縦枠は、横断面をＶ溝状に形成することを特徴とする請求項１記載の切窓。
【請求項３】
前記他方の縦枠は、横断面を角溝状に形成することを特徴とする請求項１記載の切窓。
【請求項４】
請求項１ないし請求項３のいずれか記載の切窓を戸本体に組み込むことを特徴とする切窓付きの戸。
【発明の詳細な説明】
【技術分野】
【０００１】
この発明は、ガラリを設けることなく自然換気機能を実現することができる切窓と、それを使用する切窓付きの戸に関する。
【背景技術】
【０００２】
明り取り用の切窓付きの戸（ドアを含む、以下同じ）において、換気用のガラリを切窓と一体に設けることがある（たとえば非特許文献１、２）。
【０００３】
すなわち、縦長の切窓の上半部に透光性のガラスを嵌め込み、下半部にガラリを組み込むことにより、上半部のガラスによる採光と、下半部のガラリによる自然換気とを併せて実現することができる。
【先行技術文献】
【非特許文献】
【０００４】
【非特許文献１】小松ウオール工業(株)カタログ（http://www.komatsuwall.co.jp/p                roducts/lineup/option/catalog/pdf/option_all.pdf）
【非特許文献２】三和シャッター工業(株)カタログ（http://www.sanwa-ss.co.jp/di                gital_catalog/table/d_10/_SWF_Window.html）
【発明の概要】
【発明が解決しようとする課題】
【０００５】
かかる従来技術によるときは、自然換気機能を実現するためにガラリを使用するため、切窓の採光面積が小さくなって十分な採光性能が得られないことがある上、外観上も必ずしも満足し得ない場合が少なくないという問題があった。
【０００６】
そこで、この発明の目的は、かかる従来技術の問題に鑑み、透光性の板材の装着形態を工夫することによって、ガラリを使用することなく、必要な自然換気機能に加えて、良好な採光性能、外観体裁を得ることができる切窓と、それを使用する切窓付きの戸を提供することにある。
【課題を解決するための手段】
【０００７】
かかる目的を達成するためのこの出願に係る第１発明（請求項１に係る発明をいう、以下同じ）の構成は、縦長の窓枠と、窓枠に装着する透光性の板材とを備えてなり、板材は、シール材を介して窓枠の下枠、上枠、一方の縦枠により保持するとともに、横断面が内向き溝状の他方の縦枠内に端縁部を進入させ、端縁部を迂回する通気用の隙間を形成することをその要旨とする。
【０００８】
なお、他方の縦枠は、横断面をＶ溝状または角溝状に形成することができる。
【０００９】
第２発明（請求項４に係る発明をいう、以下同じ）の構成は、第１発明に係る切窓を戸本体に組み込むことをその要旨とする。
【発明の効果】
【００１０】
かかる第１発明の構成によるときは、透光性の板材は、縦長の窓枠の下枠、上枠、一方の縦枠に沿う３辺がシール材を介して保持されている一方、他方の縦枠に沿う１辺は、横断面が内向き溝状の他方の縦枠内に端縁部を進入させることにより、端縁部を迂回する通気用の隙間を他方の縦枠との間に形成することができる。そこで、透光性の板材は、窓枠の全有効面積相当の大きな採光面積により良好な採光性能を実現するとともに、他方の縦枠に沿う通気用の隙間を介して必要な自然換気機能を実現し、しかも良好な外観を得ることができる。なお、通気用の隙間は、板材の端縁部を迂回するように屈曲しているから、板材の前後に直線的に貫通することがなく、内外の視線を有効に遮断することができる。
【００１１】
ただし、ここでいう透光性の板材は、普通ガラス板、フロストガラス板、型板ガラス板、網入りガラス板などのガラス板の他、任意の透光性の合成樹脂板の単板または複合板であって、適度の透光性がある限り、無色または有色の透明または不透明の板材が使用可能である。
【００１２】
窓枠の他方の縦枠は、板材の１辺との間に通気用の隙間を形成するために、横断面を内向きの溝状に形成する。ただし、横断面の具体的な形状は、Ｖ溝状、角溝状の他、多角形溝状、Ｕ溝状、半円溝状、半楕円溝状などの各種の溝形状であってもよい。なお、溝形状をＶ溝状とすれば、板材の端縁部の進入深さにより最小隙間を設定し、自然換気量を容易に調整することができ、角溝状とすれば、溝の横断面積を大きくして必要な自然換気量を容易に実現することができる。
【００１３】
第２発明の構成によるときは、第１発明の効果をそのまま実現することができる。ただし、ここでいう戸は、一般的な引き戸や、吊り戸、折れ戸などの他、任意の形式のヒンジを介して開閉するドアや、間仕切用や壁面用のパネルなどを含むものとし、戸本体は、たとえばフラッシュ戸形式、鉄扉形式、木質の板戸形式などの任意の形式が使用可能である。
【図面の簡単な説明】
【００１４】
【図１】全体模式正面図
【図２】図１のＡ−Ａ線矢視相当模式拡大断面図
【図３】図１のＢ−Ｂ線矢視相当模式拡大断面図
【図４】要部模式斜視説明図
【図５】他の実施の形態を示す図３相当図
【図６】他の実施の形態を示す図４相当図
【図７】他の実施の形態を示す要部模式断面説明図（１）
【図８】他の実施の形態を示す要部模式断面説明図（２）
【発明を実施するための形態】
【００１５】
以下、図面を以って発明の実施の形態を説明する。
【００１６】
切窓付きの戸は、戸本体１０に対し、切窓２０を組み込んでなる（図１）。なお、切窓２０は、縦長の窓枠２１に透光性の板材２２を装着して構成されている。
【００１７】
戸本体１０は、ペーパハニカムの芯材１１の両面に表面材１２、１２を貼着してフラッシュ戸形式に仕上げられている（図２、図３）。また、切窓２０の窓枠２１は、たとえば鉄板材を折曲げ加工して形成する下枠２１ａ、上枠２１ｂ、両側の縦枠２１ｃ、２１ｄを枠状に組み立てて構成されている。
【００１８】
透光性の板材２２は、シール材２３、２３…を介し、下枠２１ａ、上枠２１ｂ、一方の縦枠２１ｃにより保持されている。上枠２１ｂ、一方の縦枠２１ｃには、それぞれシール材２３用の凹溝２１ｂ1 、２１ｃ1 が形成されており、下枠２１ａ側のシール材２３は、下枠２１ａに形成する段部２１ａ1 に対し、たとえば折曲げ鉄板製の押縁２４を介して装着されている。板材２２の下端は、ゴムなどの弾性材の支持体２２ａを介して段部２１ａ1 に支承されており（図２、図４）、押縁２４は、タッピンねじ２４ａ、２４ａを介して段部２１ａ1 にねじ止めされている。ただし、図４（Ａ）、（Ｂ）は、それぞれ板材２２の下端部の要部模式斜視図であり、図４（Ａ）では，押縁２４が分解図で図示され、図４（Ｂ）では、板材２２、支持体２２ａの図示が省略されている。
【００１９】
他方の縦枠２１ｄは、横断面がＶ溝状に形成されている（図３、図４）。縦枠２１ｄに対向する側の板材２２の端縁部は、縦枠２１ｄの深さｃとして、縦枠２１ｄ内に進入深さｂ≪ｃだけ進入することにより、縦枠２１ｄの内面との間に最小隙間ａを形成している。そこで、板材２２は、板材２２の端縁部を迂回するように屈曲する通気用の隙間Ｑを縦枠２１ｄとの間に形成することができる。
【００２０】
かかる構成の切窓２０は、透光性の板材２２を介して窓枠２１の全有効面積を採光面積とすることができる上、縦枠２１ｄに沿う上下方向の全長に亘り、板材２２と縦枠２１ｄとの間に形成される通気用の隙間Ｑを介して必要な自然換気機能を実現することができる。また、縦枠２１ｄ内への進入深さｂを介して最小隙間ａを設定し、通気用の隙間Ｑによる自然換気量を調整することができる。
【他の実施の形態】
【００２１】
他方の縦枠２１ｄは、横断面を角溝状に形成することができる（図５、図６）。ただし、図６（Ａ）、（Ｂ）は、それぞれ図４（Ａ）、（Ｂ）相当図である。
【００２２】
板材２２は、縦枠２１ｄ内への進入深さｂ≪ｃ、縦枠２１ｄの内面との間の最小隙間ａを形成し、板材２２の端縁部を迂回する通気用の隙間Ｑを形成して自然換気機能を実現することができる。
【００２３】
なお、戸本体１０は、図示しない鋼材製の枠体の両面に鉄板製の表面材１２、１２を張って構成する鉄扉形式としてもよい（図７）。ただし、図７（Ａ）、（Ｂ）は、それぞれ図３、図５相当図である。図７において、窓枠２１の下枠２１ａ、上枠２１ｂ、縦枠２１ｃ、２１ｄと、戸本体１０の表面材１２、１２との接合部分は、溶接後に各表面材１２の表面側の角部を断面円弧状に丸めて仕上げられている。
【００２４】
また、戸本体１０は、ペーパハニカムの芯材１１の両面に対し、遮音用などのＭＤＦ（中密度繊維板）のボード１３、１３を介して表面材１２、１２を貼着して構成する木質の板戸形式とすることができる（図８）。ただし、図８（Ａ）、（Ｂ）は、それぞれ図３、図５相当図である。図８において、窓枠２１の両側の縦枠２１ｃ、２１ｄは、それぞれ木製であり、ボード１３、縦枠２１ｃの各内側の端面は、適切な化粧シート１４を貼着して保護されている。
【００２５】
以上の説明において、窓枠２１の縦枠２１ｃ、２１ｄは、互いに入れ換えて配置することができる。
【産業上の利用可能性】
【００２６】
この発明は、一般的な戸やドアの他、間仕切り用や壁面用のパネルなどに対し、広く好適に適用することができる。
【符号の説明】
【００２７】
Ｑ…通気用の隙間
１０…戸本体
２０…切窓
２１…窓枠
２１ａ…下枠
２１ｂ…上枠
２１ｃ、２１ｄ…縦枠
２２…板材
２３…シール材
特許出願人      小松ウオール工業株式会社
【図１】
0006635802.tif 000002
【図２】
0006635802.tif 000003
【図３】
0006635802.tif 000004
【図４】
0006635802.tif 000005
【図５】
0006635802.tif 000006
【図６】
0006635802.tif 000007
【図７】
0006635802.tif 000008
【図８】
0006635802.tif 000009